(57)【要約】【課題】貫通孔の最大長さより長いバンド支持部を備えていても、貫通孔にバンド支持部を通過させる作業を容易に行うことができ、デッキプレートに対する装着作業を容易に行うことができる配線・配管材用吊具を提供する。【解決手段】配線・配管材用吊具１０は、デッキプレートＤの上面に係止する係止部１１と、係止部１１から延設された吊下部１３と、帯状の保持バンドが挿通される長孔１４ｂが形成され吊下部１３の下端部に支持されたバンド支持部１４とを備える。長孔１４ｂの長さ方向に沿ったバンド支持部１４の長さは、貫通孔Ｄｃの直径より長くなっている。バンド支持部１４は、貫通孔Ｄｃに対し吊下部１３を挿通する方向に沿って長孔１４ｂが延びる通過姿勢Ｓ２と、バンド支持部１４に保持バンドを支持させるために長孔１４ｂが貫通孔Ｄｃの径方向に沿って延びる支持姿勢とに変位可能に吊下部１３に支持されている。【選択図】図３
2010249271.tif 000002
【特許請求の範囲】
【請求項１】
デッキプレートの下方で配線・配管材を吊り下げるために前記デッキプレートに設置される配線・配管材用吊具であって、
前記デッキプレートの上下面を貫通して穿設された貫通孔の周りに位置する前記デッキプレートの上面に係止し、かつ前記貫通孔を上から閉鎖する係止部と、
該係止部から延設され前記貫通孔を貫通可能に形成された吊下部と、
前記配線・配管材を保持する帯状の保持バンドを支持するために該保持バンドが挿通される長孔が形成され前記吊下部の下部に支持されたバンド支持部と、を備え、
前記長孔の長さ方向に沿った前記バンド支持部の長さが、前記貫通孔の最大長さ以上に形成され、
前記バンド支持部が、前記吊下部が前記貫通孔を貫通する方向に沿って前記長孔が延びる通過姿勢と、前記バンド支持部に前記保持バンドを支持させるために前記長孔が前記貫通孔の径方向に沿って延びる支持姿勢と、に変位可能に前記吊下部に支持されている配線・配管材用吊具。
【請求項２】
前記長孔の長さ方向に対し直交する方向に沿った前記バンド支持部の長さが、前記貫通孔の最大長さより短くなるように、前記バンド支持部は撓み変形可能に形成されている請求項１に記載の配線・配管材用吊具。
【請求項３】
前記バンド支持部は、前記吊下部に回動可能に支持され、前記バンド支持部の回動により支持姿勢と通過姿勢とに変位可能になっている請求項１又は請求項２に記載の配線・配管材用吊具。
【請求項４】
前記吊下部は、線材よりなり、前記線材の両端部が前記係止部より上方で結合されている請求項１〜請求項３のうちいずれか一項に記載の配線・配管材用吊具。
【請求項５】
前記デッキプレートは上方へ凸となるように延びる凸条部と、下方へ向けて凹となるように延びる凹条部とが交互に形成されてなるとともに前記貫通孔が前記凸条部の上部に穿設され、前記係止部が前記凸条部の上面に係止された状態では、前記長孔が前記凹条部の下面より下方に位置するように前記吊下部の長さが設定されている請求項１〜請求項４のうちいずれか一項に記載の配線・配管材用吊具。
【発明の詳細な説明】
【技術分野】
【０００１】
本発明は、デッキプレートの下方で配線・配管材を吊り下げるためにデッキプレートに設置される配線・配管材用吊具に関する。
【背景技術】
【０００２】
コンクリート天井の下方で、配線（ケーブル等）・配管材（排気管等）を吊り下げるために配線・配管材用吊具が用いられている。配線・配管材用吊具としては、例えば特許文献１に開示の管・ケーブル類の支持具が挙げられる。この管・ケーブル類の支持具は、デッキプレートに穿設された貫通孔を閉鎖してデッキプレートの上面に固着される固着部と、固着部から延設された取付部及び該取付部に取付けられて配線・配管材を支持する線材よりなる支持部とを備えている。そして、貫通孔を貫通してデッキプレートから下方へ延びる線材を、配線・配管材に巻き付けることで、コンクリート天井の下方で配線・配管材が吊り下げられるようになっている。
【０００３】
ところで、例えば、配管材としての排気管は、管本体を断熱材で被って形成されている。この排気管を、特許文献１の管・ケーブル類の支持具によって吊下げた場合、断熱材に線材が巻き付けられると、線材が断熱材の局部に集中して食い込んでしまい断熱材の断熱効果が低減してしまう。そこで、配線・配管材を支持する支持部として、幅広の帯状をなす保持バンドを用いることが考えられる。保持バンドをデッキプレートの下方で支持するには、例えば、特許文献２に開示のインサート用ケーブル支持具のように、幅広の部材を支持可能な係止部を備えた配線・配管材用吊具を使用することが考えられる。特許文献２のインサート用ケーブル支持具は、円板状のインサートと、このインサートの下端に連結された連結部と、連結部から湾曲して延長された係止部と、係止部の先端に設けられた装着孔導入部とを備える。そして、係止部がＣ字状に形成されているため、幅広の保持バンドであっても係止部で支持することができる。
【先行技術文献】
【特許文献】
【０００４】
【特許文献１】特開２００６−２２８６２号公報
【特許文献２】特開２０００−２１３０６９号公報
【発明の概要】
【発明が解決しようとする課題】
【０００５】
ところが、特許文献２のインサート用ケーブル支持具においては、保持バンドを支持可能とする係止部は、デッキプレートの貫通孔（特許文献２では装着孔）の直径（最大長さ）より大きくなっている。このため、デッキプレートにインサート用ケーブル支持具を装着する際、装着孔に係止部を通過させるために、インサート用ケーブル支持具全体を回動させるようにしなければならず、デッキプレートにインサート用ケーブル支持具を装着する作業が非常に煩雑になってしまうという問題が発生する。
【０００６】
本発明は、このような従来の技術に存在する問題点に着目してなされたものであり、その目的は、貫通孔の最大長さより長いバンド支持部を備えていても、貫通孔にバンド支持部を通過させる作業を容易に行うことができ、デッキプレートに対する装着作業を容易に行うことができる配線・配管材用吊具を提供することにある。
【課題を解決するための手段】
【０００７】
上記問題点を解決するために、請求項１に記載の発明は、デッキプレートの下方で配線・配管材を吊り下げるために前記デッキプレートに設置される配線・配管材用吊具であって、前記デッキプレートの上下面を貫通して穿設された貫通孔の周りに位置する前記デッキプレートの上面に係止し、かつ前記貫通孔を上から閉鎖する係止部と、該係止部から延設され前記貫通孔を貫通可能に形成された吊下部と、前記配線・配管材を保持する帯状の保持バンドを支持するために該保持バンドが挿通される長孔が形成され前記吊下部の下部に支持されたバンド支持部と、を備え、前記長孔の長さ方向に沿った前記バンド支持部の長さが、前記貫通孔の最大長さ以上に形成され、前記バンド支持部が、前記吊下部が前記貫通孔を貫通する方向に沿って前記長孔が延びる通過姿勢と、前記バンド支持部に前記保持バンドを支持させるために前記長孔が前記貫通孔の径方向に沿って延びる支持姿勢と、に変位可能に前記吊下部に支持されていることを要旨とする。
【０００８】
請求項２に記載の発明は、請求項１に記載の配線・配管材用吊具において、前記長孔の長さ方向に対し直交する方向に沿った前記バンド支持部の長さが、前記貫通孔の最大長さより短くなるように、前記バンド支持部は撓み変形可能に形成されていることを要旨とする。
【０００９】
請求項３に記載の発明は、請求項１又は請求項２に記載の配線・配管材用吊具において、前記バンド支持部は、前記吊下部に回動可能に支持され、前記バンド支持部の回動により支持姿勢と通過姿勢とに変位可能になっていることを要旨とする。
【００１０】
請求項４に記載の発明は、請求項１〜請求項３のうちいずれか一項に記載の配線・配管材用吊具において、前記吊下部は、線材よりなり、前記線材の両端部が前記係止部より上方で結合されていることを要旨とする。
【００１１】
請求項５に記載の発明は、請求項１〜請求項４のうちいずれか一項に記載の配線・配管材用吊具において、前記デッキプレートは上方へ凸となるように延びる凸条部と、下方へ向けて凹となるように延びる凹条部とが交互に形成されてなるとともに前記貫通孔が前記凸条部の上部に穿設され、前記係止部が前記凸条部の上面に係止された状態では、前記長孔が前記凹条部の下面より下方に位置するように前記吊下部の長さが設定されていることを要旨とする。
【発明の効果】
【００１２】
本発明によれば、貫通孔の最大長さより長いバンド支持部を備えていても、貫通孔にバンド支持部を通過させる作業を容易に行うことができ、デッキプレートに対する装着作業を容易に行うことができる。
【図面の簡単な説明】
【００１３】
【図１】配線・配管材用吊具をデッキプレートに設置した状態を示す断面図。
【図２】第１の実施形態の配線・配管材用吊具を示す斜視図。
【図３】バンド支持部を通過姿勢に変位させた状態を示す斜視図。
【図４】バンド支持部を撓み変形させた状態を示す斜視図。
【図５】貫通孔にバンド支持部を通過させる状態を示す断面図。
【図６】配線・配管材用吊具をデッキプレートに設置した状態を示す断面図。
【図７】第２の実施形態の配線・配管材用吊具を示す斜視図。
【図８】別例の配線・配管材用吊具を示す斜視図。
【発明を実施するための形態】
【００１４】
（第１の実施形態）
以下、本発明を具体化した第１の実施形態を図１〜図６にしたがって説明する。
図１に示すように、配線・配管材用吊具１０は、配管材としての排気管Ｐをコンクリート天井Ｔの下方で吊り下げるために用いられる。図６に示すように、排気管Ｐは合成樹脂製のパイプ本体Ｐａの外周面に断熱材Ｐｂが巻装されて形成されている。
【００１５】
また、図１に示すように、コンクリート天井Ｔは、金属板製のデッキプレートＤの上面にコンクリートを打設して構築され、デッキプレートＤとコンクリートが硬化してなるコンクリート層Ｃとよりなる。金属板製のデッキプレートＤは、上方へ凸となるように延びる凸条部Ｄａと、下方へ向けて凹となるように延びる凹条部Ｄｂとが交互に並列に形成されて凹凸状に形成されている。デッキプレートＤにおいて、凸条部Ｄａの上端部には円孔状の貫通孔Ｄｃが上下方向に貫通するように穿設されるとともに、この貫通孔Ｄｃの最大長さは貫通孔Ｄｃの直径Ｍになっている。そして、この貫通孔Ｄｃを用いて配線・配管材用吊具１０がデッキプレートＤに設置されている。
【００１６】
図２に示すように、配線・配管材用吊具１０は、円板状をなす係止部１１を有するとともに、係止部１１の直径Ｎ（図１参照）は貫通孔Ｄｃの直径Ｍより長くなっている。係止部１１の下面中央部からは延設部１１ａが略円柱状に延びるように一体形成されている。係止部１１及び延設部１１ａには２つの挿通孔１１ｂ（図６参照）が係止部１１及び延設部１１ａを貫通するように形成されている。
【００１７】
また、係止部１１の下面において、延設部１１ａの周りには突出部１７が等間隔をおいて４箇所に形成されるとともに、各突出部１７の先端外面には係止爪１７ａが形成されている。図１に示すように、４つの係止爪１７ａの外端面を繋いで形成される円の直径Ｒは、貫通孔Ｄｃの直径Ｍより若干大きくなっている。また、配線・配管材用吊具１０がデッキプレートＤに設置された状態では、係止爪１７ａがデッキプレートＤの下面において貫通孔Ｄｃの周囲に係止可能になっている。
【００１８】
両挿通孔１１ｂには、手によって自在に折り曲げ可能なバインド線（線材）よりなる吊下部１３が挿通されている。この吊下部１３は、両端部が係止部１１の上面より上側に突出するように挿通孔１１ｂに挿通されるとともに、係止部１１の上方で吊下部１３の両端部が結束（結合）されて係止部１１に吊下部１３が一体化されている。図２に示すように、係止部１１に吊下部１３が一体化された状態では、係止部１１の下方には吊下部１３の折り曲げ部１３ａが位置している。
【００１９】
図１に示すように、貫通孔Ｄｃに吊下部１３を貫通させ、係止部１１をデッキプレートＤの凸条部Ｄａ上面に係止させるとともに係止部１１によって貫通孔Ｄｃを上方から閉鎖した状態では、吊下部１３はデッキプレートＤから下方へ延びるとともに、折り曲げ部１３ａが凹条部Ｄｂの下面より下方に位置するように、吊下部１３の長さが設定されている。
【００２０】
吊下部１３の下端部たる折り曲げ部１３ａには、可撓性を有する合成樹脂材料により細長板状に形成されたバンド支持部１４が支持されている。バンド支持部１４の長辺方向（図２では左右方向）への長さは、貫通孔Ｄｃの直径Ｍより長くなっている。また、長辺方向に対し直交するバンド支持部１４の短辺方向（図２では上下方向）への長さは、長辺方向への長さより短く、かつ貫通孔Ｄｃの直径Ｍより僅かに長くなっている。
【００２１】
バンド支持部１４には、バンド支持部１４の長辺方向へ細長に延びる長孔１４ｂが形成されている。長孔１４ｂの長さ方向への長さは、貫通孔Ｄｃの直径Ｍより長くなっている。図４に示すように、バンド支持部１４は、長孔１４ｂを利用して短辺方向に撓み変形可能に形成されている。そして、撓み変形させた状態でのバンド支持部１４の短辺方向への長さは、貫通孔Ｄｃの直径Ｍより短くなっている。
【００２２】
図１及び図６に示すように、長孔１４ｂには、帯状をなす保持バンド１５が挿通されるとともに、この保持バンド１５は無端状をなすようにバンド支持部１４によって支持されている。保持バンド１５は、その幅方向が長孔１４ｂの長さ方向（バンド支持部１４の長辺方向）へ延びるように長孔１４ｂに挿通、支持されている。保持バンド１５の幅方向への長さは、長孔１４ｂの長さ方向への長さより若干短くなっているとともに、貫通孔Ｄｃの直径Ｍより長くなっている。
【００２３】
バンド支持部１４の上端部には透孔１４ａが形成されている。そして、この透孔１４ａに吊下部１３が挿通されるとともに、折り曲げ部１３ａに透孔１４ａの内面が支持されることにより、吊下部１３にバンド支持部１４が支持されている。バンド支持部１４は、折り曲げ部１３ａを回動中心として回動可能に支持されている。  
【００２４】
そして、バンド支持部１４は、折り曲げ部１３ａに対する回動により、長孔１４ｂが横方向（左右方向）へ延びる状態で吊下部１３に支持される支持姿勢Ｓ１を取り得るようになっている。この支持姿勢Ｓ１は、バンド支持部１４の長辺方向が吊下部１３の延設方向に直交するように延びる姿勢である。バンド支持部１４が支持姿勢Ｓ１にあるとき、保持バンド１５がバンド支持部１４に支持される。そして、保持バンド１５の内側に排気管Ｐが保持されるようになっている。
【００２５】
また、図３に示すように、バンド支持部１４は、折り曲げ部１３ａに対する回動により、バンド支持部１４が貫通孔Ｄｃを通過するために長孔１４ｂが縦方向に延びる状態で吊下部１３に支持される通過姿勢Ｓ２を取り得るようになっている。この通過姿勢Ｓ２は、バンド支持部１４の長辺方向が吊下部１３の延設方向に沿って延びる姿勢である。
【００２６】
次に、配線・配管材用吊具１０をデッキプレートＤに装着するとともに、配線・配管材用吊具１０によって排気管Ｐを吊下げる方法について説明する。
まず、図３に示すように、デッキプレートＤにコンクリートが打設される前において、凸条部Ｄａの上端部に貫通孔Ｄｃを穿設する。次に、配線・配管材用吊具１０において、折り曲げ部１３ａを回動中心としてバンド支持部１４を回動させるとともに、バンド支持部１４を通過姿勢Ｓ２にする。すると、吊下部１３の延設方向に沿ってバンド支持部１４の長辺方向、及び長孔１４ｂの長さ方向が延びるとともに、バンド支持部１４の短辺方向が貫通孔Ｄｃの径方向へ延びるようになる。その結果、貫通孔Ｄｃに吊下部１３を通過させる方向に沿ってバンド支持部１４の長辺方向が延びるようにバンド支持部１４が変位する。
【００２７】
次に、図４に示すように、バンド支持部１４を短辺方向に撓み変形させ、バンド支持部１４の短辺方向への長さを、貫通孔Ｄｃの直径Ｍより短くする。そして、貫通孔Ｄｃに対し、バンド支持部１４及び吊下部１３を挿通すると、図５に示すように、貫通孔Ｄｃをバンド支持部１４が通過する。続けて、貫通孔Ｄｃにバンド支持部１４全体、さらに吊下部１３を通過させ、貫通孔Ｄｃに吊下部１３を貫通させた後、４つの突出部１７を貫通孔Ｄｃに挿入し、貫通孔Ｄｃを形成するデッキプレートＤの内周面に係止爪１７ａの外端面を当接させる。すると、突出部１７が貫通孔Ｄｃの内側に向けて弾性変形して係止爪１７ａが貫通孔Ｄｃを通過する。そして、係止爪１７ａが貫通孔Ｄｃを通過した後、突出部１７が原形状に復帰すると、係止爪１７ａがデッキプレートＤの下面に係止可能になる。また、図６に示すように、係止部１１の下面がデッキプレートＤの上面に係止する。また、係止部１１によって貫通孔Ｄｃが上方から閉鎖される。
【００２８】
そして、折り曲げ部１３ａを回動中心としてバンド支持部１４を通過姿勢Ｓ２から回動させ、図１及び図６に示すように、バンド支持部１４を支持姿勢Ｓ１にする。すると、バンド支持部１４の長辺方向が貫通孔Ｄｃの径方向（横方向）へ延びるとともに、長孔１４ｂの長さ方向が貫通孔Ｄｃの径方向へ延びる状態となる。
【００２９】
次に、保持バンド１５の幅方向が長孔１４ｂの長さ方向へ延びるように保持バンド１５を長孔１４ｂに挿通する。その後、保持バンド１５を排気管Ｐの外周面に沿わせながら無端状にするとともに、保持バンド１５から排気管Ｐが抜け出ないように、保持バンド１５の内周面を、排気管Ｐの外周面に密接させて保持バンド１５により排気管Ｐを保持させる。すると、配線・配管材用吊具１０によって排気管ＰがデッキプレートＤの下方に吊下げされる。このとき、吊下部１３は、折り曲げ部１３ａが凹条部Ｄｂの下面より下方に位置するように長さが設定されている。このため、折り曲げ部１３ａに支持されたバンド支持部１４の長孔１４ｂは凹条部Ｄｂの下面より下方に位置している。よって、長孔１４ｂに挿通された保持バンド１５も凹条部Ｄｂの下面より下方に位置しており、保持バンド１５に保持された排気管Ｐも凹条部Ｄｂの下面より下方に位置している。
【００３０】
そして、デッキプレートＤ上にコンクリートを打設してコンクリート層Ｃを成形するとコンクリート天井Ｔが構築されるとともに、コンクリート層Ｃに、係止部１１及び吊下部１３の結束部が埋設される。よって、配線・配管材用吊具１０がコンクリート天井Ｔに移動不能に設置される。
【００３１】
上記実施形態によれば、以下のような効果を得ることができる。
（１）配線・配管材用吊具１０は、デッキプレートＤに穿設された貫通孔Ｄｃの直径Ｍより長いバンド支持部１４を備えるとともに、バンド支持部１４は吊下部１３の折り曲げ部１３ａに対し回動可能に支持されている。そして、バンド支持部１４を回動させることで、吊下部１３が貫通孔Ｄｃを貫通する方向に沿って長孔１４ｂ（バンド支持部１４の長辺方向）が延びる通過姿勢Ｓ２に変位させることができる。さらに、バンド支持部１４は短辺方向に撓み変形可能に形成され、撓み変形させた状態でのバンド支持部１４の短辺方向への長さは貫通孔Ｄｃの直径Ｍより短くなっている。よって、バンド支持部１４を通過姿勢Ｓ２にし、さらに、バンド支持部１４を撓み変形させるだけで、貫通孔Ｄｃにバンド支持部１４を通過させることができる。したがって、配線・配管材用吊具１０が貫通孔Ｄｃの直径Ｍより長いバンド支持部１４を備えていても、貫通孔Ｄｃにバンド支持部１４を通過させる作業を容易に行うことができ、配線・配管材用吊具１０にデッキプレートＤに対する装着作業を容易に行うことができる。
【００３２】
（２）吊下部１３はバインド線（線材）よりなり、バンド支持部１４は細長板状に形成されている。そして、バンド支持部１４を回動させて通過姿勢Ｓ２にしたとき、バンド支持部１４は、吊下部１３が貫通孔Ｄｃを貫通する方向に沿って長孔１４ｂが延びる状態になり、吊下部１３及びバンド支持部１４は細長に延びるようになる。よって、吊下部１３を貫通孔Ｄｃに挿通するだけ、すなわち、配線・配管材用吊具１０を下方に向けて移動させるだけで、貫通孔Ｄｃに吊下部１３及びバンド支持部１４を通過させることができる。したがって、本実施形態の配線・配管材用吊具１０は、特許文献２のように、装着孔にインサート用ケーブル支持具の係止部を通過させるためにインサート用ケーブル支持具全体を回動させる場合と異なり、デッキプレートＤへの装着作業を容易に行うことができる。
【００３３】
（３）貫通孔Ｄｃに通過姿勢Ｓ２のバンド支持部１４を通過させた後、バンド支持部１４を回動させて支持姿勢Ｓ１にすることができる。支持姿勢Ｓ１では、長孔１４ｂが貫通孔Ｄｃの径方向（横方向）へ延びているため、バンド支持部１４に挿通された保持バンド１５を、幅方向が横方向へ延びるようにバンド支持部１４に支持させることができる。したがって、保持バンド１５の内周面を排気管Ｐの外周面に面接触させて排気管Ｐを保持バンド１５で保持することができ、排気管Ｐを安定した状態に吊り下げることができる。
【００３４】
（４）保持バンド１５は帯状をなすため、排気管Ｐの外周面を保持バンド１５で保持しても、排気管Ｐの断熱材Ｐｂに対し保持バンド１５の内周面が面接触し、保持バンド１５が断熱材Ｐｂに対し局所的に食い込むことがない。よって、配線・配管材用吊具１０によって排気管ＰをデッキプレートＤの下方に吊り下げることで、断熱材Ｐｂの断熱性能が低下することを防止することができる。
【００３５】
（５）バンド支持部１４は、透孔１４ａにバインド線よりなる吊下部１３を挿通することで、吊下部１３の折り曲げ部１３ａに回動可能に支持されている。よって、吊下部１３にバンド支持部１４を支持させて一体化すると同時に、バンド支持部１４を回動可能に支持することができる。よって、バンド支持部１４が支持姿勢Ｓ１と通過姿勢Ｓ２の２姿勢を取り得る配線・配管材用吊具１０を簡単に形成することができる。
【００３６】
（６）係止部１１の下面には、複数の突出部１７が突設されるとともに、各突出部１７には係止爪１７ａが形成されている。そして、係止爪１７ａは、デッキプレートＤの下面に係止可能になっている。よって、配線・配管材用吊具１０によって排気管Ｐを吊下げた後、排気管Ｐの位置を上方に変更するため、デッキプレートＤの上方から吊下部１３を引っ張ったり、吊下部１３両端部を結束させたとき、係止爪１７ａのデッキプレートＤに対する係止により、係止部１１がデッキプレートＤから上に外れてしまうことを防止することができる。
【００３７】
（７）吊下部１３は両端部が係止部１１より上方で結束されている。このため、係止部１１がコンクリート層Ｃに埋設されると、吊下部１３の結束部がほどけることが防止され、吊下部１３が係止部１１から外れてしまうことを防止することができる。
【００３８】
（８）係止部１１が凸条部Ｄａの上面に係止された状態では、長孔１４ｂが凹条部Ｄｂの下面より下方に位置するように吊下部１３の長さが設定されている。そして、支持姿勢Ｓ１にあるバンド支持部１４に支持された保持バンド１５は、凹条部Ｄｂの下面より下方に位置する。よって、保持バンド１５に排気管Ｐが保持された状態では、凹条部Ｄｂの下面より下方で、排気管Ｐは、その軸方向が凹条部Ｄｂの下面に沿って延びるように吊り下げられる。このため、保持バンド１５の内周面を排気管Ｐの外周面に密接させ保持バンド１５による排気管Ｐの保持を確実とするために保持バンド１５によって排気管Ｐを締め付けたとき、その締め付けは凹条部Ｄｂ下面より下方で行われることとなる。したがって、保持バンド１５によって排気管Ｐを締め付けても、排気管Ｐが凹条部Ｄｂの下面に当たることが防止され、さらには排気管Ｐが曲がってしまうことを防止することができる。
【００３９】
（９）吊下部１３は、手によって自在に折り曲げ可能なバインド線よりなる。このため、吊下部１３を曲げることで、配線・配管材用吊具１０によって吊り下げられた状態の排気管Ｐの向きを調節することができる。その結果として、排気管Ｐの配置調整を容易に行うことができ、さらには、排気管Ｐ同士の接続作業の際に、排気管Ｐの端部を容易に向き合わせることができ、接続作業を容易に行うことができる。
【００４０】
（第２の実施形態）
次に、本発明を具体化した第２の実施形態を図７にしたがって説明する。なお、以下の説明では、既に説明した実施形態と同一構成について同一符号を付すなどし、その重複する説明を省略又は簡略する。
【００４１】
図７に示すように、配線・配管材用吊具４０は、円板状をなす係止部４１を有するとともに、係止部４１の下面からは細長の四角板状をなす吊下部４２が延設されている。係止部４１は第１の実施形態の係止部１１と同じ大きさに形成されるとともに、吊下部４２は貫通孔Ｄｃの直径Ｍより細く形成され、貫通孔Ｄｃを貫通可能に形成されている。
【００４２】
吊下部４２の下部には、吊下部４２の下端から上方に向けて延びるスリット４３が、吊下部４２を厚み方向に貫通するように形成されている。吊下部４２の下側には、スリット４３内を横切るように回動軸４５が架設されている。この回動軸４５にはバンド支持部４４が回動可能に支持されている。バンド支持部４４は、スリット４３を通過可能な細長板状をなすとともに、第１の実施形態と同じ保持バンド（図示せず）を支持するための長孔４４ｂが形成されている。バンド支持部４４は、長孔４４ｂの長さ方向に沿った長辺方向への長さが貫通孔Ｄｃの直径Ｍより長く形成されている。また、バンド支持部４４は、短辺方向への長さが貫通孔Ｄｃの直径Ｍより短く形成されている。
【００４３】
そして、バンド支持部４４は、吊下部４２が貫通孔Ｄｃを貫通する方向に沿って長孔４４ｂが延びる通過姿勢Ｓ２（図７の２点鎖線に示す）と、バンド支持部４４に保持バンドを支持させるために長孔４４ｂが貫通孔Ｄｃの径方向に沿って延びる支持姿勢Ｓ１と、に変位可能に吊下部４２に支持されている。
【００４４】
したがって、上記第２の実施形態によれば、第１の実施形態に記載の（２）〜（４）の効果に加えて以下の効果を得ることができる。
（９）バンド支持部４４を通過姿勢Ｓ２に位置させたとき、バンド支持部４４の短辺方向が貫通孔Ｄｃの径方向へ延び、このバンド支持部４４における短辺方向への長さが貫通孔Ｄｃの直径Ｍより短くなっている。このため、貫通孔Ｄｃにバンド支持部４４を通過させることができる。その結果、配線・配管材用吊具４０を貫通孔Ｄｃに向かうように下へ移動させるだけで、貫通孔Ｄｃにバンド支持部４４させることができる。
【００４５】
（１０）吊下部４２は細長の四角板状をなし、バンド支持部４４は吊下部４２に架設された回動軸４５に支持されている。このため、バンド支持部４４を安定した状態で回動させることができ、支持姿勢Ｓ１と通過姿勢Ｓ２を確実に取り得ることができる。
【００４６】
なお、本実施形態は以下のように変更してもよい。
○  図８に示す配線・配管材用吊具５０としてもよい。配線・配管材用吊具５０は、円板状をなす係止部５１を有するとともに、係止部５１の下面からはバインド線よりなる吊下部５２が延設されている。吊下部５２は、第１の実施形態の吊下部１３のようにＵ字状に折り曲げられておらず、一本に延びるように形成されている。そして、吊下部５２は、一端部（上端部）が係止部５１の下面中央部に固着されるとともに、他端部（下端部）に、第１の実施形態のバンド支持部１４と同じ構成をなすバンド支持部５４が固着され、このバンド支持部５４には長孔５４ｂが形成されている。バンド支持部５４は、吊下部５２の他端部を屈曲させることで支持姿勢Ｓ１と通過姿勢Ｓ２を取り得るようになっている。
【００４７】
○  配線・配管材用吊具１０，４０，５０は、デッキプレートＤにおける凹条部Ｄｂに装着されてもよい。
○  配線・配管材用吊具１０，４０，５０において、係止部１１，４１，５１が凸条部Ｄａの上面に係止された状態では、長孔１４ｂ，４４ｂ，５４ｂが凹条部Ｄｂの下面より上方に位置するように吊下部１３，４２，５２の長さが設定されていてもよい。
【００４８】
○  配線・配管材用吊具１０，５０において、バンド支持部１４，５４の短辺方向への長さを貫通孔Ｄｃの直径Ｍより短くしてもよい。そして、バンド支持部１４，５４を通過姿勢Ｓ２に変位させた際、バンド支持部１４，５４を撓み変形させずに貫通孔Ｄｃを通過可能にしてもよい。
【００４９】
○  バンド支持部１４，４４，５４の長辺方向に沿った長さを、貫通孔Ｄｃと同じにしてもよい。
○  配線・配管材用吊具１０，５０において、吊下部１３，５２は、両端部が係止部１１より下方で結束されていてもよい。
【００５０】
○  配線・配管材用吊具１０，４０，５０によってデッキプレートＤの下方に吊り下げるものを、配線としてのケーブルや、配管材としての電線管、吸気管、エアコン用ドレン管等に変更してもよい。
【００５１】
○  第１の実施形態において、突出部１７及び係止爪１７ａは削除してもよい。
○  貫通孔Ｄｃは、四角孔状や六角孔状のように円孔以外の形状に形成されていてもよく、この場合、貫通孔Ｄｃの最大長さは、四角孔や六角孔の対向する辺同士の長さになる。
【符号の説明】
【００５２】
Ｄ…デッキプレート、Ｄａ…凸条部、Ｄｂ…凹条部、Ｄｃ…貫通孔、Ｍ…貫通孔の最大長さとしての直径、Ｐ…配管材としての排気管、Ｓ１…支持姿勢、Ｓ２…通過姿勢、１０，４０，５０…配線・配管材用吊具、１１，４１，５１…係止部、１３，４２，５２…吊下部、１４，４４，５４…バンド支持部、１４ｂ，４４ｂ，５４ｂ…長孔、１５…保持バンド。
【図１】
2010249271.tif 000003
【図２】
2010249271.tif 000004
【図３】
2010249271.tif 000005
【図４】
2010249271.tif 000006
【図５】
2010249271.tif 000007
【図６】
2010249271.tif 000008
【図７】
2010249271.tif 000009
【図８】
2010249271.tif 000010